(57)【要約】      （修正有）【課題】建築物等の開口部と、この開口部に設けられる開閉部材との隙間に配置されるシール材に関し、毛羽部を通過する流体中に含まれる物質を効率よく吸着することができるシール材を提供する。【解決手段】シール材１１は、複数の糸１３によって構成される毛羽部１４を備え、糸１３は、毛羽部１４を通過する流体中に含まれる物質を吸着可能な吸着剤を含有している。また、シール材１１の基布１２は糸１３を織り込んで毛羽部１４を形成したパイル織物によって構成されている。【選択図】図２
2014025224.tif 000002
【特許請求の範囲】
【請求項１】
複数の糸によって構成される毛羽部を備えたシール材であって、
前記糸は、前記毛羽部を通過する流体中に含まれる物質を吸着可能な吸着剤を含有していることを特徴とするシール材。
【請求項２】
基布に前記糸を織り込んで前記毛羽部を形成したパイル織物によって構成されていることを特徴とする請求項１に記載のシール材。
【請求項３】
前記基布を構成する糸が前記吸着剤を含有していることを特徴とする請求項２に記載のシール材。
【請求項４】
前記吸着剤は無機多孔体であることを特徴とする請求項１〜請求項３のうち何れか一項に記載のシール材。
【請求項５】
前記無機多孔体はゼオライトであることを特徴とする請求項４に記載のシール材。
【発明の詳細な説明】
【技術分野】
【０００１】
本発明は、建築物等の開口部と、この開口部に設けられる開閉部材との隙間に配置されるシール材に関する。
【背景技術】
【０００２】
一般に、建築物等に設けられる開口部においては、ドアや窓などの開閉部材を閉じた際に、開口部と開閉部材との間に僅かながら隙間が形成されるので、この隙間から外気や塵埃などが侵入してしまうことがある。そのため、この隙間を塞ぐ隙間材として、従来、基布上に複数の毛羽が立設されたパイル織物により構成されたシール材がある（例えば、特許文献１）。
【先行技術文献】
【特許文献】
【０００３】
【特許文献１】特開２００８−３８４４０号公報
【発明の概要】
【発明が解決しようとする課題】
【０００４】
こうしたシール材は、隙間を流れる気流中に含まれる塵埃等を毛羽部において捕捉することで、室内への塵埃の進入を抑制する効果を発揮する。しかし、このようにシール材の毛羽部に捕捉された塵埃は、例えばドアの開閉に伴ってシール材が振動した場合などに、毛羽部から離脱して周囲に飛散してしまうという課題がある。
【０００５】
本発明は、こうした実情に鑑みてなされたものであり、その目的は、毛羽部を通過する流体中に含まれる物質を効率よく吸着することができるシール材を提供することにある。
【課題を解決するための手段】
【０００６】
上記課題を解決するシール材は、複数の糸によって構成される毛羽部を備えたシール材であって、前記糸は、前記毛羽部を通過する流体中に含まれる物質を吸着可能な吸着剤を含有していることを要旨とする。
【０００７】
この構成によれば、毛羽部を構成する糸が吸着剤を含有しているので、毛羽部が捕捉した物質を糸に吸着することができる。したがって、毛羽部を通過する流体中に含まれる物質を効率よく吸着することができる。
【０００８】
上記シール材は、基布に前記糸を織り込んで前記毛羽部を形成したパイル織物によって構成されていることが好ましい。
この構成によれば、シール材がパイル織物によって構成されているため、開閉部材の開口部に対する摺動抵抗を低減することが可能となる。
【０００９】
上記シール材においては、前記基布を構成する糸が前記吸着剤を含有していることが好ましい。
この構成によれば、毛羽部を構成する糸に加えて、基布を構成する糸が吸着剤を含有しているため、吸着の効果をさらに高めることができる。
【００１０】
上記シール材において、前記吸着剤は無機多孔体であることが好ましい。
この構成によれば、無機多孔体に形成された多数の細孔内に物質を吸着することができるため、糸の表面にのみ物質を吸着する場合と比較して、より多くの物質を吸着することができる。また、無機多孔体の細孔内部に物質を吸着することにより、糸の表面に物質が付着する場合と比較して、流体中に含まれる物質をより確実に保持することができる。
【００１１】
上記シール材において、前記無機多孔体はゼオライトであることが好ましい。
この構成によれば、ゼオライトの陽イオン交換能によって、セシウム、アンモニア、ストロンチウムなどの有害物質を選択的に吸着することができる。
【発明の効果】
【００１２】
本発明によれば、毛羽部を通過する流体中に含まれる物質を効率よく吸着することができる。
【図面の簡単な説明】
【００１３】
【図１】第１実施形態におけるシール材の斜視図。
【図２】図１における２−２線矢視断面図。
【図３】第１実施形態におけるシール材の使用状態を示す正面図。
【図４】図３における４−４線矢視断面図。
【図５】第２実施形態におけるシール材の平面図。
【図６】第２実施形態におけるシール材の側面図。
【図７】第２実施形態におけるシール材の使用状態を示す正面図。
【図８】変更例のシール材の断面図。
【発明を実施するための形態】
【００１４】
（第１実施形態）
以下、建築物の開口部を構成するドア枠と、このドア枠に開閉可能に取り付けられるドアとの間に設けられるシール材に関する第１実施形態について、図を参照して説明する。
【００１５】
図１に示すように、本実施形態のシール材１１は、長尺帯状の基布１２と毛羽部１４とを備えている。毛羽部１４は、基布１２の長手方向に沿って延びるように、基布１２上に複数の糸１３を織り込んで形成される。すなわち、シール材１１は、パイル織物によって構成されている。
【００１６】
図２に示すように、基布１２はポリプロピレン製の繊維よりなるタテ糸１２ａ及びヨコ糸１２ｂを織り上げることにより形成された織布である。また、毛羽部１４は基布１２上にポリプロピレン製の複数本の糸（パイル糸）１３をパイル織りしたものである。このパイル織りは、毛羽部１４を形成する各糸１３をそれぞれ基布１２のヨコ糸１２ｂにＵ字状に絡ませるようにして織り込むものである。
【００１７】
このようにして織り込まれた糸１３は、基布１２の長手方向に延びるパイル列１３ａを形成する。また、本実施形態において、基布１２には、その短手方向に並ぶように複数列のパイル列１３ａが形成されている。
【００１８】
基布１２において、毛羽部１４が形成された面と反対側の面には、ポリプロピレンよりなるコーティング層１５が形成されている。そして、このコーティング層１５により、毛羽部１４を構成する各糸１３の根元と基布１２とが強固に接合されている。また、コーティング層１５にはシール材１１を使用場所へ貼着するための両面粘着テープ１６が貼り付けられている。両面粘着テープ１６において、コーティング層１５側とは反対側の粘着面は、剥離紙１７によって覆われて保護されている。
【００１９】
基布１２を構成するタテ糸１２ａ及びヨコ糸１２ｂと、毛羽部１４を構成する各糸１３は、無機多孔体であるゼオライトを含有している。なお、ゼオライトは、毛羽部１４を通過する気体などの流体中に含まれる物質を吸着可能な吸着剤の一例である。
【００２０】
ゼオライトは、紡糸する前の繊維に分散させてから、そのゼオライトを含む繊維で糸１２ａ，１２ｂ，１３を紡糸するようにしてもよいし、紡糸した糸１２ａ，１２ｂ，１３の表面にバインダーを介して固着させるようにしてもよい。あるいは、繊維の原料中にゼオライトなどの吸着剤を混ぜて、その後に繊維化したものを紡糸してもよい。さらに、ゼオライトの原料となるケイ素化合物とアルミニウム化合物とを含む混合水溶液に繊維を含浸させた後、熱処理等を加えることでゼオライト結晶が固着された繊維を得ることもできる。
【００２１】
なお、ゼオライトは、天然物である天然ゼオライトを用いてもよいし、人工物である合成ゼオライトを用いてもよい。特に、合成ゼオライトの場合には、配合や反応条件を調整することにより、吸着したい物質に応じた吸着能を得ることができる。また、ゼオライトはイオン交換能が高いため、ゼオライト結晶の骨格中に含まれる陽イオンを銀、鉄、銅、亜鉛などの各種のイオンに交換することでも、吸着したい物質に応じた触媒機能及び吸着機能を得ることができる。
【００２２】
例えば、ゼオライトに銀を吸着させた銀ゼオライトを糸１２ａ，１２ｂ，１３に含有させることにより、吸着された銀イオンの作用により、アンモニアや硫化水素の吸着による消臭作用や抗菌、抗カビ、抗ウイルス等の作用が得られる。また、ゼオライトなどの無機多孔体に銅や亜鉛を含有させた場合にも、抗菌作用が得られる。
【００２３】
すなわち、気体中に浮遊する細菌やカビ、ウイルスなどを糸１２ａ，１２ｂ，１３に含まれるゼオライトによって吸着することで、毛羽部１４を通過する気体から細菌やカビ、ウイルスなどが除去される。さらに、毛羽部１４を通過する空気中に気体の状態で存在する悪臭物質や大気汚染物質についても、糸１２ａ，１２ｂ，１３に含まれるゼオライトによって吸着することで空気中から除去される。このように、本実施形態において吸着剤によって吸着可能な物質とは、塵埃のような粒子状の浮遊物質に加えて、流体中に浮遊する微細な細菌、カビ及びウイルスなどの病原体や、悪臭物質や大気汚染物質などの気体成分も含む。
【００２４】
次に、以上のように構成されたシール材１１の作用について説明する。
図３に示すように、玄関のドア２０は、ドア枠２１と対向する一側面（図２では左側面）において上下一対のヒンジ２２を介してドア枠２１に対して回動可能に取着されている。そして、通常、ドア２０と、ドア枠２１及び床面２３との間には、それぞれ隙間が形成される。シール材１１は、こうした隙間をシール（塞ぐ）するために使用される。
【００２５】
さて、ドア２０と、ドア枠２１及び床面２３との間のそれぞれの隙間をシール材１１によってシールする場合には、剥離紙１７を剥がして両面粘着テープ１６によりドア２０におけるドア枠２１及び床面２３との対向面にそれぞれシール材１１を貼り付ける。このとき、図４に示すように、各シール材１１の毛羽部１４の先端部は、ドア枠２１または床面２３に摺接する。これにより、ドア２０と、ドア枠２１及び床面２３との間のそれぞれ隙間が、シール材１１によってシールされる。
【００２６】
ここで、シール材１１において基布１２を構成するタテ糸１２ａ及びヨコ糸１２ｂと、毛羽部１４を構成する各糸１３とは、吸着剤であるゼオライトを含有している。そのため、ドア２０と、ドア枠２１及び床面２３との間のそれぞれの隙間を気体が流れると、その気体に含まれている浮遊物質がシール材１１の毛羽部１４に補足される。また、毛羽部１４に補足された浮遊物質は、基布１２及び毛羽部１４を構成する糸１２ａ，１２ｂ，１３に含まれるゼオライトによって吸着される。また、毛羽部１４で捕捉されない悪臭物質などの気体成分や病原体は、毛羽部１４中を通過する際に糸１２ａ，１２ｂ，１３に含まれるゼオライトに吸着される。
【００２７】
そして、ドア２０の開閉時には、各シール材１１の毛羽部１４に対してドア枠２１や床面２３からの衝撃が加わることになる。その場合にも、毛羽部１４に補足された物質は糸１２ａ，１２ｂ，１３に含有される吸着剤に吸着されているため、毛羽部１４からの離脱が抑制される。さらに、シール材１１には両面粘着テープ１６が貼り付けられているので、シール材１１を使用箇所から剥がすことで、シール材１１に吸着された物質が回収される。
【００２８】
上記実施形態によれば、以下のような効果を得ることができる。
（１）毛羽部１４を構成する糸１３が吸着剤の一例であるゼオライトを含有しているので、毛羽部１４が捕捉した物質を糸１３に吸着することができる。したがって、毛羽部１４を通過する流体中に含まれる物質を効率よく吸着することができる。
【００２９】
（２）シール材１１がパイル織物によって構成されているため、ドア２０のドア枠２１に対する摺動抵抗を低減することが可能となる。
（３）毛羽部１４を構成する糸１３に加えて、基布１２を構成する糸１２ａ，１２ｂが吸着剤を含有しているため、吸着の効果をさらに高めることができる。
【００３０】
（４）無機多孔体であるゼオライトに形成された多数の細孔内に物質を吸着することができるため、糸１２ａ，１２ｂ，１３の表面にのみ物質を吸着する場合と比較して、より多くの物質を吸着することができる。また、無機多孔体の細孔内部に物質を吸着することにより、糸１２ａ，１２ｂ，１３の表面に物質が付着する場合と比較して、流体中に含まれる物質をより確実に保持することができる。
【００３１】
（５）吸着剤であるゼオライトの陽イオン交換能によって、セシウム、アンモニア、ストロンチウムなどの有害物質を選択的に吸着することができる。
（第２実施形態）
次に、開閉部材であるドアと床面との間に設けられるシール材に関する第２実施形態について、上記第１実施形態と異なる点を中心に、図を参照して説明する。
【００３２】
図５に示すように、本実施形態のシール材３０は、編物によって構成されている。すなわち、シール材３０は、ゼオライトなどの吸着剤を含有する１本のポリプロピレン製の糸３１を蛇行状に編み、両側の湾曲部分を互いに平行に延びる複数本（本実施形態では３本）のポリプロピレン製の保持糸３２によってそれぞれ綴じた後、中央部分を切断する（図５の矢印に沿って切断する）ことによって同時に２つ形成される。この場合、シール材３０における保持糸３２よりも先端側の各糸３１の部分が毛羽部３３とされる。
【００３３】
図６に示すように、シール材３０における毛羽部３３以外の基端部の一側面にはシール材３０を使用場所へ貼着するための両面粘着テープ１６が各保持糸３２を覆うように貼り付けられる。また、両面粘着テープ１６において、各保持糸３２側と反対側の粘着面は、剥離紙１７によって覆われて保護されている。一方、シール材３０において、毛羽部３３以外の基端部の他側面には、両面粘着テープ１６を介して帯状のエラストマーよりなる化粧部材３４が各保持糸３２を覆うように貼り付けられている。化粧部材３４におけるシール材３０の基端側の端部は、直角に屈曲されてシール材３０の基端側を覆って保護している。
【００３４】
次に、以上のように構成されたシール材３０の作用について説明する。
図７に示すように、シール材３０は、特にドア２０と床面２３との間の隙間をシールするために使用される。そして、シール材３０によってドア２０と床面２３との間の隙間をシールする場合には、剥離紙１７を剥がして両面粘着テープ１６によりドア２０における床面２３との対向面と隣接する面にシール材３０を貼り付ける。このとき、シール材３０の毛羽部３３の先端部は、床面２３に摺接する。これにより、ドア２０と床面２３との間の隙間が、シール材３０によってシールされる。
【００３５】
なお、このシール材３０はドア２０と床面２３との間の隙間に配置されるため、降雨時などには雨水によって濡れた状態になることがある。そして、流体としての雨水に含まれる物質が水に溶けてイオン化している場合には、そのイオン化した物質は、糸３１に含まれるゼオライトのイオン交換能によって吸着される。
【００３６】
以上詳述した第２実施形態によれば、上記（１）〜（５）の作用効果に加えて、次のような効果が発揮される。
（６）シール材３０は、ドア２０における床面２３との対向面と隣接する面に貼り付けることができるので、ドア２０と床面２３との隙間が狭くても容易に貼り付けることができる。
【００３７】
（変更例）
なお、上記各実施形態は、次のように変更して具体化することも可能である。
・第１実施形態において、図８に示すように、シール材１１は、ポリプロピレンの成型品により構成された長尺帯状の基材４０と、基材４０上に立設された複数のポリプロピレン製の糸４１よりなる毛羽部４２とによって構成するようにしてもよい。すなわち、シール材１１は、基材４０上において基材４０の短手方向に所定距離を隔てた位置に一対の凸条４０ａを基材４０の長手方向に沿って延設し、基材４０上における各凸条４０ａ間の領域に、略Ｕ字状に折り曲げた状態で束ねた複数の糸４１を超音波溶着することで形成される。このようにして織り曲げられた糸４１は、基材４０の長手方向に延びる２列のパイル列４１ａを形成する。この場合、基材４０上の各凸条４０ａは、基材４０上に各糸４１を超音波溶着する際の位置決め手段として機能する。また、シール材１１の各糸４１には、ゼオライトなどの吸着剤が含まれている。なお、基材４０における毛羽部４２側とは反対側の面にはシール材１１を使用場所へ貼着するための両面粘着テープ１６が貼り付けられるとともに、この両面粘着テープ１６における基材４０側とは反対側の粘着面は剥離紙１７によって覆われて保護されている。
【００３８】
・第１実施形態において、ドア枠２１に対向するドア２０の対向面と、床面２３と対向するドア２０の対向面とで、異なる吸着剤を含有するシール材１１を貼り付けてもよい。例えば、ドア枠２１に対向するドア２０の対向面には銀ゼオライトを含有するシール材１１を貼り付ける一方、床面２３と対向するドア２０にゼオライトを含有するシール材１１を貼り付けることができる。この場合には、空気中に浮遊する病原体や悪臭物質などを銀ゼオライトによって吸着する一方、塵埃などをゼオライトによって吸着することができる。
【００３９】
・第１実施形態において、基布１２の長手方向に延びるパイル列１３ａを構成する糸１３が、列毎に異なる吸着剤を含有するようにしてもよい。あるいは、開口部の外側に配置されるパイル列１３ａは吸着剤を含有する糸１３によって構成する一方、開口部の内側に配置されるパイル列１３ａは吸着剤を含有しない糸１３によって構成してもよい。例えば、開口部の外側に配置されるパイル列１３ａを重金属や放射性物質などの有害物質を選択的に吸着することのできる吸着剤を含有した糸１３で構成することができる。この場合には、シール材１１に吸着された有害物質が開口部の内部へ及ぼす影響を抑制することができる。
【００４０】
・第１実施形態において、基布１２の長手方向に延びるパイル列１３ａが、列毎に異なる高さに形成されてもよい。また、毛羽部１４を構成する糸１３の中に、太さが異なるパイル糸を混合させてもよい。例えば、全てのパイル列１３ａを高くしたり、全ての糸１３を太くしたりすると、シール性が向上する一方で摺動抵抗が増すので、パイル列１３ａの列数を多くすることができない。その点、一部の高いパイル列１３ａや一部の太い糸１３によってシール性を確保する一方、その他の低いパイル列１３ａや細い糸１３で構成されるパイル列１３ａを複数配列することで、より多くの物質を吸着することができる。
【００４１】
・第１実施形態において、基布１２を構成する糸１２ａ，１２ｂと、毛羽部１４を構成する糸１３とを異なる繊維で紡糸することもできる。また、基布１２を構成する糸１２ａ，１２ｂと、毛羽部１４を構成する糸１３とが異なる吸着剤を含有するようにしてもよいし、毛羽部１４を構成する糸１３のみが吸着剤を含有するようにしてもよい。
【００４２】
・シール材１１，３０は、建築物のドア枠とドアとの間に限らず、例えば網戸、引き戸、ふすま、サッシ、窓、シャッター等の開閉可能な建具の周囲の隙間に取り付けることもできる。さらに、食器棚などの引き出しの隙間のシールや、食器洗い機や冷蔵庫などの家電製品と壁面との間の隙間のシールなど、あらゆる隙間のシールに用いてもよい。
【００４３】
・シール材１１，３０は、住宅などの建築物に限らず、例えば排ガス処理装置や廃液処理装置などの開口部と、この開口部に設けられる扉などの開閉部材との間をシールするために用いてもよい。すなわち、シール材１１，３０は、建築物内や装置内からの物質の流出を抑制するために設けることもできる。
【００４４】
・流体は気体に限らず、水中や雨水などが通過する箇所にシール材１１，３０を取り付けてもよい。この場合には、ゼオライトのイオン交換能によってより効果的に物質を吸着することができる。
【００４５】
・糸１２ａ，１２ｂ，１３を構成する繊維は、ポリプロピレンに限らない。例えば、各シール材１１，３０全体の材質をポリアミドとしてもよい。このようにすれば、ポリアミド繊維の優れた復元力及び耐摩耗性により、耐久性や緩衝性に優れたシール材１１，３０を提供することができる。
【００４６】
・吸着剤はゼオライトに限らず、吸着したい物質やシール材を取り付ける場所に応じて、活性炭、シリカゲル、アルミナなどから１種類以上を選択することができる。また、セシウム等の放射性物質に対する選択的な吸着性を有するイライトやプルシアンブルー（プルシアンブルー型金属錯体）を吸着剤として採用してもよい。
【符号の説明】
【００４７】
１１，３０…シール材、１２…基布、１２ａ…糸としてのタテ糸、１２ｂ…糸としてのヨコ糸、１３，３１，４１…糸、１４，３３，４２…毛羽部。
【図１】
2014025224.tif 000003
【図２】
2014025224.tif 000004
【図３】
2014025224.tif 000005
【図４】
2014025224.tif 000006
【図５】
2014025224.tif 000007
【図６】
2014025224.tif 000008
【図７】
2014025224.tif 000009
【図８】
2014025224.tif 000010